(57)【要約】【課題】ＣＰＵに余計な負荷をかけず、送信装置との特定キーワード設定も不要で、家電用リモコン信号とＩｒＤＡ信号の両方を受信可能な赤外線信号受信装置を提供する。【解決手段】赤外線受光部１で赤外線信号を電気信号に変換し、赤外線受光部１からの赤外線信号がＩｒＤＡ信号かどうかをパルス間隔測定部２１で識別し、マスク２３により電気信号の後段への出力を制御する。赤外線受光部１がＩｒＤＡ信号を受信し、パルス間隔測定部２１が測定したパルス間隔があらかじめ定められた閾値以上であれば、ＩｒＤＡ信号受信部２は電気信号をそのまま出力する。リモコン信号を受信し、パルス間隔があらかじめ定められた閾値未満であれば、ＩｒＤＡ信号受信部２は電気信号の変化を、マスク部２３を制御してマスクする。【選択図】図１
2005203937.tif 000002
【特許請求の範囲】
【請求項１】
第１の赤外線信号を受光した場合は第１の電気信号に、また第２の赤外線信号を受光した場合は第２の電気信号にそれぞれ変換する赤外線受光手段と、前記赤外線受光手段で変換した電気信号が、前記第１の電気信号かを識別する電気信号識別手段と、前記赤外線受光手段からの信号の通過を制御する信号通過制御手段と、を備え、前記電気信号識別手段が、前記第１の電気信号と識別した場合に前記信号通過制御手段が信号の通過を許可することを特徴とする赤外線信号受信装置。
【請求項２】
前記電気信号識別手段は、前記赤外線受光手段が変換した電気信号のパルス間隔を測定することで前記第１の電気信号かを識別することを特徴とする請求項１記載の赤外線信号受信装置。
【請求項３】
前記第１の赤外線信号は、他の装置との通信開始段階の第１の信号様式と前記他の装置との通信確立後の第２の信号様式との少なくとも２つの信号様式を有し、前記赤外線受光手段は、前記第１の信号様式の赤外線信号を前記第１の電気信号に、また前記第２の信号様式の赤外線信号を第３の電気信号に変換することを特徴とする請求項１または請求項２記載の赤外線信号受信装置。
【請求項４】
初期値として前記第１の信号様式を選択する様式切換手段と、前記様式切換手段が前記第１の信号様式を選択している場合に前記信号通過制御手段からの電気信号の通過を許可し、前記様式切換手段が前記第１の信号様式を選択している場合以外は前記赤外線受光手段からの電気信号の通過を許可する信号切換手段と、を備え、前記様式切換手段が初期値として前記第１の信号様式を選択している場合に前記信号切換手段を前記第１の電気信号が通過し前記他の装置との通信が確立しことを確認した場合に、前記様式切換手段に様式の切換を指示する様式切換指示手段と、を備えたことを特徴とする請求項３記載の赤外線信号受信装置。
【請求項５】
前記第１の赤外線信号がＩｒＤＡ規格準拠の信号であることを特徴とする請求項１乃至請求項４のいずれかに記載の赤外線信号受信装置。
【請求項６】
前記第２の赤外線信号が、赤外線リモートコントロール信号であることを特徴とする請求項５記載の赤外線信号受信装置。
【発明の詳細な説明】
【技術分野】
【０００１】
本発明は、赤外線信号受信装置、特に、家電用リモートコントロールからの信号とＩｒＤＡ規格準拠の信号の両方のプロトコルの信号を受信可能とする機能を有する赤外線信号受信装置に関する。
【背景技術】
【０００２】
テレビやオーディオ等の家電製品を離れたところから操作するために、赤外線リモートコントロールが使用されている。これらには赤外線を変調してデータを転送するリモートコントロールが広く普及している。一方、携帯型パーソナルコンピュータや携帯電話等の携帯情報機器において、近距離の機器間で赤外線を用いてデータの相互交換を行う機能を持つものが普及している。この通信は業界標準化団体ＩｒＤＡにより制定された規格に基づいたフォーマットにて行われる。
【０００３】
赤外線リモートコントロールで使用される搬送波の波長は主に９００〜９８０nmであり、ＩｒＤＡ通信の搬送波の波長は８５０〜９００nmである。また、赤外線リモートコントロールには副搬送波が使用されるがＩｒＤＡ通信には使用されない。
【０００４】
赤外線リモートコントロールで操作可能な機器に対してＩｒＤＡ通信機能を備えると、ＩｒＤＡ通信の特徴である高速性、双方向通信を活用して、単にリモートコントロールの代わりだけでなく、様々な利用形態が可能となる。
【０００５】
赤外線リモートコントロールの信号とＩｒＤＡ通信の両方の赤外線信号を受信可能な赤外線信号受信装置として、リモコン信号復調器とＩｒＤＡ復調器とを並列に接続して動作させると、赤外線リモートコントロールで使用される搬送波の波長とＩｒＤＡ通信の搬送波の波長が近接しているため、ＩｒＤＡ受光用のフォトダイオードはリモコンの赤外線に対しても出力が変化し、後段のＩｒＤＡ復調器へ信号が受け渡されてしまう。このため、本来はＩｒＤＡ信号を受信したときに必要な処理がリモコン信号を受信したときも行われるため、ＣＰＵに余計な負荷をかけてしまうという問題があり、この問題に対応した赤外線信号受信装置として、例えば、特許文献１に記載されているようなものがあった。従来の赤外線信号受信装置では、リモコン信号復調器とＩｒＤＡ復調器とをスイッチで切り替えて、ＣＰＵに余計な負荷をかけずに、いずれの赤外線信号をも受信可能としている。
【特許文献１】特開平１１−１２７１１５号公報（第３−４頁、第１図）
【発明の開示】
【発明が解決しようとする課題】
【０００６】
しかしながら、従来の赤外線信号受信装置においては、赤外線信号を送信する装置との間で、あらかじめ、リモコン信号（第２の赤外線信号）で特定のキーワードを受信した場合にスイッチを、ＩｒＤＡ信号（第１の赤外線信号）を復調する復調器に、切り替えるようにとりきめる必要があり、その取り決めに従って利用者が赤外線信号を送信する装置を操作しないとＩｒＤＡ信号を受信することができないという問題があった。
【０００７】
本発明は、従来の問題を解決するためになされたもので、ＣＰＵに余計な負荷をかけずに、赤外線信号を送信する装置との間で、あらかじめ、リモコン信号（第２の赤外線信号）で特定のキーワードを受信した場合にスイッチを、ＩｒＤＡ信号（第１の赤外線信号）を復調する復調器に、切り替えるようにとりきめる必要がなく、さらに、利用者が赤外線信号を送信する装置の操作をする必要なく、家電用リモートコントロールからの信号とＩｒＤＡ信号の両方のプロトコルの信号を受信することができる赤外線信号受信装置を提供
することを目的とする。
【課題を解決するための手段】
【０００８】
本発明の赤外線信号受信装置は、第１の赤外線信号を受光した場合に第１の電気信号へ、また第２の赤外線信号を受光した場合に第２の電気信号へそれぞれ変換する赤外線受光手段と、赤外線受光手段で変換した電気信号が、第１の電気信号かを識別する電気信号識別手段と、赤外線受光手段からの信号の通過を制御する信号通過制御手段と、を備え、電気信号識別手段が、第１の電気信号と識別した場合に信号通過制御手段が信号の通過を許可する構成を有している。
【０００９】
この構成により、第２の赤外線信号が信号通過制御手段を通過することなく、第１の赤外線信号を処理するＣＰＵといった後段の回路動作に余計な負荷をかけることなく、また、赤外線信号を送信する装置との間で、あらかじめ、リモコン信号（第２の赤外線信号）で特定のキーワードを受信した場合にスイッチを、ＩｒＤＡ信号（第１の赤外線信号）を復調する復調器に、切り替えるようにとりきめる必要がなく、さらに、利用者が赤外線信号を送信する装置の操作をする必要なく、第１の赤外線信号と第２の赤外線信号の両方のプロトコルの信号を受信することができる。
【００１０】
また、本発明の赤外線信号受信装置は、電気信号識別手段が、赤外線受光手段が変換した電気信号のパルス間隔を測定することで前記第１の電気信号かを識別する構成を有している。この構成により、容易に第１の電気信号と第２の電気信号とを識別することができる。
【００１１】
また、本発明の赤外線信号受信装置は、第１の赤外線信号が、他の装置との通信開始段階の第１の信号様式と、他の装置との通信確立後の第２の信号様式との少なくとも２つの信号様式を有し、赤外線受光手段は、第１の信号様式の赤外線信号を第１の電気信号に、また第２の信号様式の赤外線信号を第３の電気信号に変換する構成を有している。この構成により、通信開始段階と通信確立後で信号様式の異なる第１の赤外線信号に対応することができる。
【００１２】
また、本発明の赤外線信号受信装置は、初期値として第１の信号様式を選択する様式切換手段と、様式切換手段が第１の信号様式を選択している場合に信号通過制御手段からの電気信号の通過を許可し、様式切換手段が第１の信号様式を選択している場合以外は赤外線受光手段からの電気信号の通過を許可する信号切換手段と、を備え、様式切換手段が初期値として第１の信号様式を選択している場合に信号切換手段を第１の電気信号が通過し他の装置との通信が確立しことを確認した場合に、様式切換手段に様式の切換を指示する様式切換指示手段と、を備えた構成を有している。
【００１３】
この構成により、第１の赤外線信号の受信において、第１の通信様式の赤外線信号で他の装置と通信を確立した後は、たとえば通信速度の速い第２の赤外線信号に類似の通信速度を有する第２の信号様式に切り替えて信号を受信することが可能となる。
【００１４】
また、本発明の赤外線信号受信装置は、第１の赤外線信号がＩｒＤＡ規格準拠の信号である構成を有している。この構成により、ＩｒＤＡ規格準拠の赤外線信号を第１の赤外線信号として受信することができ、一方、ＩｒＤＡ以外の赤外線信号を受信した場合には、電気信号の変化をマスクすることができる。
【００１５】
さらに、本発明の赤外線信号受信装置は、第２の赤外線信号が、赤外線リモートコントロール信号である構成を有している。この構成により、ＩｒＤＡ規格準拠の赤外線信号を第１の赤外線信号として受信することができ、一方、第２の赤外線信号としての赤外線リ
モートコントロール信号を受信した場合には、電気信号の変化をマスクすることができる。
【発明の効果】
【００１６】
本発明は、第１の赤外線信号を受光した場合に第１の電気信号へ、また第２の赤外線信号を受光した場合に第２の電気信号へそれぞれ変換する赤外線受光手段と、赤外線受光手段で変換した電気信号が、第１の電気信号かを識別する電気信号識別手段と、赤外線受光手段からの信号の通過を制御する信号通過制御手段と、を備え、電気信号識別手段が、第１の電気信号と識別した場合に信号通過制御手段が信号の通過を許可する構成を有していることにより、第２の赤外線信号が信号通過制御手段を通過することなく、第１の赤外線信号を処理するＣＰＵといった後段の回路動作に余計な負荷をかけることなく、また、赤外線信号を送信する装置との間で、あらかじめ、リモコン信号（第２の赤外線信号）で特定のキーワードを受信した場合にスイッチを、ＩｒＤＡ信号（第１の赤外線信号）を復調する復調器に、切り替えるようにとりきめる必要がなく、さらに、利用者が赤外線信号を送信する装置の操作をする必要なく、第１の赤外線信号と第２の赤外線信号の両方のプロトコルの信号を受信することができるという効果を有する赤外線信号受信装置を提供することができる。
【発明を実施するための最良の形態】
【００１７】
以下、本発明の実施の形態の赤外線信号受信装置について、図面を参照して説明する。
【００１８】
本発明の一実施の形態の赤外線信号受信装置の内部の回路構成を示すブロック図を図１に示す。
【００１９】
図１において、赤外線信号受信装置は、赤外線信号を電気信号に変換するフォトダイオード等により構成される赤外線受光部１と、ＩｒＤＡ規格準拠の信号を受信するＩｒＤＡ信号受信部２と、赤外線受光部１で受光し電気信号に変換した第２の赤外線信号であるリモコン信号を受信するリモコン信号受信部３と、他の装置に送信するＩｒＤＡ規格準拠の電気信号を生成するＩｒＤＡ信号送信部４と、ＩｒＤＡ信号送信部４からの電気信号を赤外線信号に変換する発光ＬＥＤ等により構成される赤外線発光部５と、リモコン信号受信部３で受信したリモコン信号からリモコンデータを出力するリモコンデータ出力部６と、ＩｒＤＡ信号受信部２で受信した信号を出力するＩｒＤＡデータ出力部７と、ＩｒＤＡ信号を送信する際のマイコンとＩｒＤＡ信号送信部４とのインタフェースであるＩｒＤＡデータ入力部８と、を備えている。
【００２０】
なお、赤外線受光部１は、リモコン信号受光とＩｒＤＡ信号受光とで共用しているが、赤外線受光部１をＩｒＤＡ専用とし、リモコン信号受信部３を受光機能付集積回路とする構成も可能である。リモコン信号受信部３で復調された受信データは、リモコンデータ出力部６に伝送され、図示されていない後段のマイコンとのインタフェースとなる。ＩｒＤＡ信号受信部２で復調された受信データは、ＩｒＤＡデータ出力部７に伝送され、マイコンとのインタフェースとなる。
【００２１】
ＩｒＤＡ信号受信部２は、赤外線受光部１で受光し電気信号に変換した信号のパルス間隔を測定するパルス間隔測定部２１と、受信した電気信号を一定時間遅延させる遅延部２２と、パルス間隔測定部２１の測定結果に基づいて遅延部２２から出力される電気信号の変化をマスクすることができるマスク部２３と、マスク部２３からの出力と赤外線受光部１からの直接の出力のどちらかをモード切換部２５からの信号により選択するセレクタ２４と、ＩｒＤＡ信号を復調する復調部２６と、を備えている。ここで遅延部２２は、パルス間隔測定部２１での測定に要する時間を補償するためのものである。
【００２２】
上記構成を有する赤外線信号受信装置について、以下動作を説明する。
【００２３】
まず、ＩｒＤＡ信号受信時には、赤外線受光部１は赤外線信号を電気信号に変換し、ＩｒＤＡ信号受信部２とリモコン信号受信部３へ電気信号を出力する。ＩｒＤＡ通信開始時は規格に基づき転送レート９．６Ｋｂｐｓにて行われる。図２は、本発明の一実施の形態の赤外線信号受信装置のＩｒＤＡ信号受信時の信号波形図である。赤外線信号のフォーマットは、図２の（ａ）に示すように、ＲＺＩ（Return to Zero）形式であり、データ０送出時にデータ周期の１６分の３の放射がある。
【００２４】
赤外線受光部１は放射を検出していないときは１を出力し、放射を検出したときは一定幅の０を出力する。リモコン信号受信部３は内部に公知の帯域制限フィルタを有しているため転送レート９．６Ｋｂｐｓの信号はブロックされ、出力は１のままである。
【００２５】
一方、ＩｒＤＡ信号受信部２内では、パルス間隔測定部２１が、図２の（ｂ）に示す、電気信号のパルス間隔を測定する。ここでパルス間隔は周期（約１０４マイクロ秒）の整数倍が検出される。この時、パルス間隔測定部２１は測定したパルス間隔があらかじめ定められた閾値以上となるので、マスク部２３は遅延部２２の出力をそのままセレクタ２４に出力する。ここで閾値は９．６Ｋｂｐｓのデータとリモコンのデータを区別するのに最適な値、例えば６０マイクロ秒、に設定されている。
【００２６】
セレクタ２４はモード切換部２５の制御によりマスク部２３の出力と、赤外線受光部１の出力のどちらかを選択して復調部２６へ出力する。ここでモード切換部２５は初期値としてマスク部２３の出力を選択する。復調部２６は入力データを、図２の（ｃ）に示すように、ＮＲＺ（Non Return to Zero）信号に復調する。マイコンはＩｒＤＡデータ出力部７からデータを読み込む。
【００２７】
ＩｒＤＡではネゴシエーションにより高速な転送レートへ移行して通信することがオプションで定められている。マイコンはこの高速な転送レートへ移行することを認識するとモード切換部２５を制御し、赤外線受光部１からの直接の出力をセレクタ２４から復調部２６に出力する。
【００２８】
第２の赤外線信号を送信する装置であるリモコンからは、図３の（ａ）に示すように、リモコンのコントロール信号がハイの間、副搬送波が出力され、コントロール信号がローの間は、副搬送波は出力されない。図３は、本発明の一実施の形態の赤外線信号受信装置のリモコン信号受信時の信号波形図である。この例では変調周波数として３８ｋＨｚが使用され、図３の（ａ）はリモコン側のコントロール信号を示している。
【００２９】
図３の（ｂ）に示すリモコンからの光入力を受光した赤外線受光部１は、副搬送波受信時に、図３の（ｃ）に示すように、周波数３８ｋＨｚのパルスを出力する。リモコン受信部３は３８ｋＨｚの変調信号を検出し、検波出力をリモコンデータ出力部６へ出力する。一方、ＩｒＤＡ信号受信部２内では、パルス間隔測定部２１が電気信号のパルス間隔を測定する。
【００３０】
ここでパルス間隔は副搬送波の周期（約２６．３マイクロ秒）が検出される。この時、パルス間隔測定部２１は、測定したパルス間隔があらかじめ定められた、例えば、６０マイクロ秒といった、閾値未満となるので、マスク部２３は遅延部２２の出力をマスクしてセレクタ２４に出力する。ここでモード切換部２５は初期値としてマスク部２３の出力を選択しているので、図３の（ｄ）に示すように、復調部２６からはデータは出力されない。
【００３１】
このような本発明の一実施の形態の赤外線信号受信装置によれば、ＩｒＤＡ信号受信部にパルス間隔測定部と、マスク部と、モード切換部と、セレクタとを備え、赤外線受光部が受光し変換した電気信号のパルス間隔を測定してマスク部を切り替えることで、リモコン信号によって、ＩｒＤＡのデータを処理するマイコンがＩｒＤＡのデータを受信したと誤認識して、不要な動作をすることはない。
【００３２】
また、赤外線信号を送信する装置との間で、あらかじめ、リモコン信号で特定のキーワードを受信した場合にスイッチを、ＩｒＤＡ信号を復調する復調器に、切り替えるようにとりきめる必要がなく、さらに、利用者が赤外線信号を送信する装置の操作をする必要なく、ＩｒＤＡの信号とリモコン信号の両方のプロトコルの信号を受信することができる。
【００３３】
なお、本実施の形態では、第１の赤外線信号がＩｒＤＡ規格準拠の信号で、第２の赤外線信号が赤外線リモートコントロール信号である場合で説明したが、本発明はこれに限定されることなく、各種ゲーム機器に使用される赤外線信号仕様や、カラオケ装置に使用される赤外線通信仕様や、ＰＤＡに使用される赤外線通信仕様などとの組み合わせでもよい。
【００３４】
また、電気信号識別手段は電気信号のパルス間隔を測定する場合で説明したが、本発明はこれに限定されることなく、パルス間隔の変化や、パルスの位相や、パルスに重畳された信号の差などであってもよく、また、赤外線は、近赤外線であってもよい。また、パルス間隔測定部における閾値を６０マイクロ秒の場合で説明したが、本発明はこれに限定されることなく、第１の電気信号と第２の電気信号を識別できる値であればよい。
【産業上の利用可能性】
【００３５】
以上のように、本発明にかかる赤外線信号受信装置は、第２の赤外線信号が信号通過制御手段を通過することなく、第１の赤外線信号を処理するＣＰＵといった後段の回路動作に余計な負荷をかけることなく、また、赤外線信号を送信する装置との間で、あらかじめ、リモコン信号（第２の赤外線信号）で特定のキーワードを受信した場合にスイッチを、ＩｒＤＡ信号（第１の赤外線信号）を復調する復調器に、切り替えるように取り決める必要がなく、さらに、利用者が赤外線信号を送信する装置の操作をする必要なく、第１の赤外線信号と第２の赤外線信号の両方のプロトコルの信号を受信することができるという効果を有し、家電用リモートコントロールからの信号とＩｒＤＡ規格準拠の信号の両方のプロトコルの信号を受信可能とする機能を有する赤外線信号受信装置等として有用である。
【図面の簡単な説明】
【００３６】
【図１】本発明の一実施の形態の赤外線通信受信装置の内部の回路構成を示すブロック図
【図２】前記実施の形態に係る赤外線通信受信装置のＩｒＤＡ信号受信時の信号波形図
【図３】前記実施の形態に係る赤外線通信受信装置のリモコン信号受信時の信号波形図
【符号の説明】
【００３７】
１  赤外線受光部
２  ＩｒＤＡ信号受信部
３  リモコン信号受信部
４  ＩｒＤＡ信号送信部
５  赤外線発光部
６  リモコンデータ出力部
７  ＩｒＤＡデータ出力部
８  ＩｒＤＡデータ入力部
２１  パルス間隔測定部
２２  遅延部
２３  マスク部
２４  セレクタ
２５  モード切換部
２６  復調部
【図１】
2005203937.tif 000003
【図２】
2005203937.tif 000004
【図３】
2005203937.tif 000005